(57)【要約】【課題】出金処理に要する時間を短縮する。【解決手段】払出部（102）は、予め設定された保留金額に相当する紙幣を保留するように構成されている。制御部（109）は、紙幣が払い出される出金処理において、払出部（102）に保留されている紙幣が払出部（102）から払い出されるように紙幣処理装置（10）の動作を制御する第１出金動作と、収納部（103）から繰り出された紙幣が払出部（102）に搬送されて紙幣と払出部（102）に保留されている紙幣とが払出部（102）から払い出されるように紙幣処理装置（10）の動作を制御する第２出金動作とを選択的に行う。【選択図】図２
2020042493.tif 000002
【特許請求の範囲】
【請求項１】
紙幣を処理する紙幣処理装置であって、
収納している紙幣を繰り出す収納部と、
前記紙幣の払い出しを行う払出部と、
前記紙幣を搬送する搬送部と、
前記紙幣処理装置の動作を制御する制御部とを備え、
前記払出部は、予め設定された保留金額に相当する紙幣を保留するように構成され、
前記制御部は、前記紙幣が払い出される出金処理において、前記払出部に保留されている紙幣が該払出部から払い出されるように前記紙幣処理装置の動作を制御する第１出金動作と、前記収納部から繰り出された紙幣が前記払出部に搬送されて該紙幣と該払出部に保留されている紙幣とが該払出部から払い出されるように前記紙幣処理装置の動作を制御する第２出金動作とを選択的に行う
ことを特徴とする紙幣処理装置。
【請求項２】
請求項１において、
前記払出部は、
それぞれが前記紙幣を集積可能に構成された複数の集積部と、
前記複数の集積部のうちいずれか１つの集積部に集積された紙幣を該集積部から払い出す払出機構とを有し、
前記複数の集積部には、それぞれ異なる保留金額が予め設定されており、
前記複数の集積部の各々は、該集積部に対して設定された保留金額に相当する紙幣を保留するように構成され、
前記第１出金動作では、前記複数の集積部のうちいずれか１つの集積部に保留されている紙幣が該集積部から払い出され、
前記第２出金動作では、前記収納部から繰り出された紙幣が前記複数の集積部のうちいずれか１つの集積部に搬送されて該紙幣と該集積部に保留されている紙幣とが該集積部から払い出される
ことを特徴とする紙幣処理装置。
【請求項３】
請求項２において、
前記複数の集積部のうちいずれか１つの集積部における保留金額は、前記紙幣処理装置において取り扱われる前記紙幣の最小額に設定され、
前記第２出金動作では、前記収納部から前記最小額の紙幣が繰り出されて前記複数の集積部のうちいずれか１つの集積部に搬送される
ことを特徴とする紙幣処理装置。
【請求項４】
請求項２または３において、
前記払出機構は、前記複数の集積部の各々に設けられた可動機構と、搬送機構とを有し、
前記複数の集積部の各々に設けられた可動機構は、該集積部に保留されている紙幣を保持する保持動作と、保持している該紙幣を前記搬送機構に引き渡す第１引渡動作と、該集積部に搬送されてきた紙幣と保持している該紙幣とを前記搬送機構に引き渡す第２引渡動作とを行うように構成され、
前記搬送機構は、前記複数の集積部の各々に設けられた可動機構のうちいずれか１つの可動機構により引き渡された紙幣を搬送して払い出すように構成され、
前記第１出金動作では、前記複数の集積部の各々に設けられた可動機構のうちいずれか１つの可動機構が前記第１引渡動作を行い、
前記第２出金動作では、前記複数の集積部の各々に設けられた可動機構のうちいずれか１つの可動機構が前記第２引渡動作を行う
ことを特徴とする紙幣処理装置。
【請求項５】
請求項４において、
前記払出部は、筐体を有し、
前記複数の集積部は、第１集積部と第２集積部とを含み、
前記可動機構は、前記第１集積部に設けられる第１可動機構と、前記第２集積部に設けられる第２可動機構とを含み、
前記搬送機構は、前記筐体の内部空間を前記第１集積部を構成する第１空間と前記第２集積部を構成する第２空間とに区画するように該筐体の内部に設けられ、回転駆動により前記紙幣を搬送して払い出すように構成された搬送ベルトを有し、
前記第１可動機構は、前記第１集積部に集積されている紙幣を前記搬送ベルトに押し付けることで該紙幣を該搬送ベルトに引き渡すように構成され、
前記第２可動機構は、前記第２集積部に集積されている紙幣を前記搬送ベルトに押し付けることで該紙幣を該搬送ベルトに引き渡すように構成されている
ことを特徴とする紙幣処理装置。
【請求項６】
請求項１〜５のいずれか１つにおいて、
前記制御部は、前記保留金額に相当する紙幣が前記払出部に保留されていない場合に、該保留金額に相当する紙幣が該払出部に搬送されて保留されるように前記紙幣処理装置の動作を制御する
ことを特徴とする紙幣処理装置。
【請求項７】
請求項１〜６のいずれか１つにおいて、
前記紙幣処理装置における紙幣の在高に関する紙幣在高情報を記憶する記憶部を備え、
前記紙幣在高情報には、前記収納部に収納されている紙幣の在高に関する情報と、前記払出部に保留されている紙幣の在高に関する情報とが含まれている
ことを特徴とする紙幣処理装置。
【請求項８】
請求項１〜７のいずれか１つにおいて、
前記制御部は、全回収処理および残置回収処理のうち少なくとも一方が行われるように前記紙幣処理装置の動作を制御し、
前記全回収処理では、前記収納部に収納されている全ての紙幣と前記払出部に保留されている全ての紙幣とが回収され、
前記残置回収処理では、前記収納部に収納されている紙幣の少なくとも一部が回収されるが、前記払出部に保留されている紙幣は回収されない
ことを特徴とする紙幣処理装置。
【請求項９】
請求項１〜８のいずれか１つに記載の紙幣処理装置と、
硬貨を処理する硬貨処理装置と、
前記紙幣処理装置および前記硬貨処理装置を管理する管理装置とを備え、
前記管理装置は、顧客から預けられた金額である預かり金額から顧客により支払われるべき金額である支払金額を差し引いて得られる釣銭金額を示す釣銭金額情報を送信し、
前記制御部は、前記釣銭金額情報に示された釣銭金額に応じて前記第１出金動作および前記第２出金動作を選択的に行う
ことを特徴とする貨幣処理システム。
【請求項１０】
請求項１〜８のいずれか１つに記載の紙幣処理装置と、
硬貨を処理する硬貨処理装置と、
前記紙幣処理装置を管理する管理装置とを備え、
前記管理装置は、顧客により支払われるべき金額である支払金額を示す支払金額情報を送信し、
前記制御部は、前記紙幣処理装置に受け入れられた紙幣の金額と前記硬貨処理装置に受け入れられた硬貨の金額との合計金額から前記支払金額情報に示された前記支払金額を差し引いて得られる釣銭金額に応じて前記第１出金動作および前記第２出金動作を選択的に行う
ことを特徴とする貨幣処理システム。
【請求項１１】
紙幣処理装置と、
前記紙幣処理装置の動作を制御する制御部とを備え、
前記紙幣処理装置は、
収納している紙幣を繰り出す収納部と、
前記紙幣の払い出しを行う払出部と、
前記紙幣を搬送する搬送部とを有し、
前記払出部は、予め設定された保留金額に相当する紙幣を保留するように構成され、
前記制御部は、前記紙幣が払い出される出金処理において、前記払出部に保留されている紙幣が該払出部から払い出されるように前記紙幣処理装置の動作を制御する第１出金動作と、前記収納部から繰り出された紙幣が前記払出部に搬送されて該紙幣と該払出部に保留されている紙幣とが該払出部から払い出されるように前記紙幣処理装置の動作を制御する第２出金動作とを選択的に行う
ことを特徴とする貨幣処理システム。
【発明の詳細な説明】
【技術分野】
【０００１】
ここに開示する技術は、貨幣処理技術に関する。
【背景技術】
【０００２】
従来、紙幣を処理する紙幣処理装置が知られている。特許文献１には、第１金庫と第２金庫と一枚保留部とを備えた紙幣処理装置が開示されている。第１金庫は、最低額面の紙幣金種である第１金種の紙幣を収納する。第２金庫は、第１金種以外の他金種の紙幣を収納する。一枚保留部は、第１金種とは異なる第２金種の紙幣を一枚のみ保留可能となっている。そして、この紙幣処理装置では、出金される金額が第２金種の額面以上である場合に、一枚保留部に保留された第２金種の紙幣が出金用の紙幣として用いられ、不足分は、第１金庫から繰り出された第１金種の紙幣が用いられる。
【先行技術文献】
【特許文献】
【０００３】
【特許文献１】特開２００７−３２８６６０号公報
【発明の概要】
【発明が解決しようとする課題】
【０００４】
特許文献１に開示された紙幣処理装置では、払い出されるべき紙幣が一枚保留部（または第１金庫や第２金庫）から繰り出されて出金集積部に搬送された後に出金集積部から払い出されることになる。そのため、紙幣を払い出す処理（出金処理）に要する時間を短縮することが困難である。
【０００５】
そこで、ここに開示する技術は、紙幣処理装置において出金処理に要する時間を短縮することを目的とする。
【課題を解決するための手段】
【０００６】
ここに開示する技術は、紙幣を処理する紙幣処理装置に関し、この紙幣処理装置は、収納している紙幣を繰り出す収納部と、前記紙幣の払い出しを行う払出部と、前記紙幣を搬送する搬送部と、前記紙幣処理装置の動作を制御する制御部とを備えている。前記払出部は、予め設定された保留金額に相当する紙幣を保留するように構成されている。前記制御部は、前記紙幣が払い出される出金処理において、前記払出部に保留されている紙幣が該払出部から払い出されるように前記紙幣処理装置の動作を制御する第１出金動作と、前記収納部から繰り出された紙幣が前記払出部に搬送されて該紙幣と該払出部に保留されている紙幣とが該払出部から払い出されるように前記紙幣処理装置の動作を制御する第２出金動作とを選択的に行う。
【０００７】
前記の構成では、第１出金動作を行うことにより、払い出されるべき紙幣が出金処理において収納部から払出部に搬送された後に払出部から払い出される場合よりも、出金処理に要する時間を短縮することができる。また、第２出金動作を行うことにより、払い出されるべき紙幣の全部が出金処理において収納部から払出部に搬送された後に払出部から払い出される場合よりも、出金処理に要する時間を短縮することができる。
【０００８】
なお、前記払出部は、それぞれが前記紙幣を集積可能に構成された複数の集積部と、前記複数の集積部のうちいずれか１つの集積部に集積された紙幣を該集積部から払い出す払出機構とを有していてもよい。前記複数の集積部には、それぞれ異なる保留金額が予め設定されていてもよい。前記複数の集積部の各々は、該集積部に対して設定された保留金額に相当する紙幣を保留するように構成されていてもよい。前記第１出金動作では、前記複数の集積部のうちいずれか１つの集積部に保留されている紙幣が該集積部から払い出されるようになっていてもよい。前記第２出金動作では、前記収納部から繰り出された紙幣が前記複数の集積部のうちいずれか１つの集積部に搬送されて該紙幣と該集積部に保留されている紙幣とが該集積部から払い出されるようになっていてもよい。
【０００９】
前記の構成では、複数の集積部にそれぞれ異なる保留金額に相当する紙幣が保留されているので、複数の集積部に同一の保留金額に相当する紙幣が保留されている場合よりも、出金処理において払い出されるべき金額を第１出金動作によって払い出すことができる確率を高くすることができる。これにより、第２出金動作よりも紙幣の払い出しに要する時間が短い第１出金動作が行われる確率を高くすることができるので、第１出金動作による時間短縮を容易に行うことができる。また、第２出金動作において集積部に搬送される紙幣の金額（搬送金額）と集積部に保留されている紙幣の金額（保留金額）との組合せの数を多くすることができる。これにより、第２出金動作において収納部から集積部に搬送される紙幣の枚数（すなわち紙幣の搬送回数）が少なくなるように複数の集積部の中から第２出金動作の対象となる集積部を選択することができるので、第２出金動作による時間短縮を効果的に行うことができる。
【００１０】
また、前記複数の集積部のうちいずれか１つの集積部における保留金額は、前記紙幣処理装置において取り扱われる前記紙幣の最小額に設定されていてもよい。前記第２出金動作では、前記収納部から前記最小額の紙幣が繰り出されて前記複数の集積部のうちいずれか１つの集積部に搬送されるようになっていてもよい。
【００１１】
前記の構成では、複数の集積部のうちいずれか１つの集積部に最小額の紙幣が保留される。また、第２出金動作において最小額の紙幣が集積部（紙幣の払い出しを行う集積部）に搬送される。これにより、紙幣処理装置において取り扱われる紙幣の最小額を単位として、出金処理において紙幣処理装置から払い出される金額を調節することができる。
【００１２】
また、前記払出機構は、前記複数の集積部の各々に設けられた可動機構と、搬送機構とを有していてもよい。前記複数の集積部の各々に設けられた可動機構は、該集積部に保留されている紙幣を保持する保持動作と、保持している該紙幣を前記搬送機構に引き渡す第１引渡動作と、該集積部に搬送されてきた紙幣と保持している該紙幣とを前記搬送機構に引き渡す第２引渡動作とを行うように構成されていてもよい。前記搬送機構は、前記複数の集積部の各々に設けられた可動機構のうちいずれか１つの可動機構により引き渡された紙幣を搬送して払い出すように構成されていてもよい。前記第１出金動作では、前記複数の集積部の各々に設けられた可動機構のうちいずれか１つの可動機構が前記第１引渡動作を行うようになっていてもよい。前記第２出金動作では、前記複数の集積部の各々に設けられた可動機構のうちいずれか１つの可動機構が前記第２引渡動作を行うようになっていてもよい。
【００１３】
前記の構成では、払出部に複数の可動機構と搬送機構とを設けることにより、複数の集積部のうちいずれか１つの集積部に集積された紙幣を払い出すことができる。
【００１４】
また、前記払出部は、筐体を有していてもよい。前記複数の集積部は、第１集積部と第２集積部とを含んでいてもよい。前記可動機構は、前記第１集積部に設けられる第１可動機構と、前記第２集積部に設けられる第２可動機構とを含んでいてもよい。前記搬送機構は、前記筐体の内部空間を前記第１集積部を構成する第１空間と前記第２集積部を構成する第２空間とに区画するように該筐体の内部に設けられ、回転駆動により前記紙幣を搬送して払い出すように構成された搬送ベルトを有していてもよい。前記第１可動機構は、前記第１集積部に集積されている紙幣を前記搬送ベルトに押し付けることで該紙幣を該搬送ベルトに引き渡すように構成されていてもよい。前記第２可動機構は、前記第２集積部に集積されている紙幣を前記搬送ベルトに押し付けることで該紙幣を該搬送ベルトに引き渡すように構成されていてもよい。
【００１５】
前記の構成では、第１集積部と第２集積部との間に搬送ベルトが設けられているので、第１可動機構と第２可動機構が搬送ベルトを共用することができる。これにより、第１可動機構により利用される搬送ベルトと第２可動機構により利用される搬送ベルトとが別々に設けられている場合よりも、払出部の部品点数を削減することができる。
【００１６】
また、前記制御部は、前記保留金額に相当する紙幣が前記払出部に保留されていない場合に、該保留金額に相当する紙幣が該払出部に搬送されて保留されるように前記紙幣処理装置の動作を制御するように構成されていてもよい。
【００１７】
前記の構成では、保留金額に相当する紙幣を払出部に保留させることができる。これにより、次の出金処理の準備をすることができる。
【００１８】
また、前記紙幣処理装置は、前記紙幣処理装置における紙幣の在高に関する紙幣在高情報を記憶する記憶部を備えていてもよい。前記紙幣在高情報には、前記収納部に収納されている紙幣の在高に関する情報と、前記払出部に保留されている紙幣の在高に関する情報とが含まれていてもよい。
【００１９】
前記の構成では、紙幣在高情報に払出部に保留されている紙幣の在高に関する情報が含まれているので、払出部に保留されている紙幣の在高を紙幣処理装置における紙幣の在高の一部として管理することができる。
【００２０】
また、前記制御部は、全回収処理および残置回収処理のうち少なくとも一方が行われるように前記紙幣処理装置の動作を制御するように構成されていてもよい。前記全回収処理では、前記収納部に収納されている全ての紙幣と前記払出部に保留されている全ての紙幣とが回収される。前記残置回収処理では、前記収納部に収納されている紙幣の少なくとも一部が回収されるが、前記払出部に保留されている紙幣は回収されない。
【００２１】
前記の構成では、全回収処理を行うことにより、収納部に収納されている紙幣と払出部に保留されている紙幣の両方を回収することができる。また、残置回収処理を行うことにより、払出部に紙幣を保留させた状態で、収納部に収納されている紙幣を回収することができる。
【００２２】
また、前記紙幣処理装置は、貨幣処理システムに設けられていてもよい。この貨幣処理システムは、前記紙幣処理装置と、硬貨を処理する硬貨処理装置と、前記紙幣処理装置および前記硬貨処理装置を管理する管理装置とを備えていてもよい。前記管理装置は、顧客から預けられた金額である預かり金額から顧客により支払われるべき金額である支払金額を差し引いて得られる釣銭金額を示す釣銭金額情報を送信するように構成されていてもよい。前記制御部は、前記釣銭金額情報に示された釣銭金額に応じて前記第１出金動作および前記第２出金動作を選択的に行うように構成されていてもよい。
【００２３】
前記の構成では、顧客から預けられた金額である預かり金額から支払金額を差し引いて得られる釣銭金額に基づいて紙幣処理装置における出金処理（第１出金動作または第２出金動作）が行われるので、紙幣処理装置および硬貨処理装置に実際に受け入れられた貨幣の合計金額から支払金額を差し引いて得られる釣銭金額に基づいて紙幣処理装置における出金処理が行われる場合よりも、紙幣処理装置における出金処理を素早く開始することができる。
【００２４】
また、前記紙幣処理装置は、貨幣処理システムに設けられていてもよい。この貨幣処理システムは、前記紙幣処理装置と、硬貨を処理する硬貨処理装置と、前記紙幣処理装置を管理する管理装置とを備えていてもよい。前記管理装置は、顧客により支払われるべき金額である支払金額を示す支払金額情報を送信するように構成されていてもよい。前記制御部は、前記紙幣処理装置に受け入れられた紙幣の金額と前記硬貨処理装置に受け入れられた硬貨の金額との合計金額から前記支払金額情報に示された前記支払金額を差し引いて得られる釣銭金額に応じて前記第１出金動作および前記第２出金動作を選択的に行うように構成されていてもよい。
【００２５】
前記の構成では、紙幣処理装置に受け入れられた紙幣の金額と硬貨処理装置に受け入れられた硬貨の金額との合計金額（すなわち実際に受け入れられた金額）から支払金額を差し引いて得られる釣銭金額に基づいて紙幣処理装置における出金処理（第１出金動作または第２出金動作）が行われるので、釣銭が誤って払い出されることを防止することができる。
【００２６】
また、ここに開示する技術は、貨幣処理システムに関する。この貨幣処理システムは、紙幣処理装置と、前記紙幣処理装置の動作を制御する制御部とを備えている。前記紙幣処理装置は、収納している紙幣を繰り出す収納部と、前記紙幣の払い出しを行う払出部と、前記紙幣を搬送する搬送部とを有している。前記払出部は、予め設定された保留金額に相当する紙幣を保留するように構成されている。前記制御部は、前記紙幣が払い出される出金処理において、前記払出部に保留されている紙幣が該払出部から払い出されるように前記紙幣処理装置の動作を制御する第１出金動作と、前記収納部から繰り出された紙幣が前記払出部に搬送されて該紙幣と該払出部に保留されている紙幣とが該払出部から払い出されるように前記紙幣処理装置の動作を制御する第２出金動作とを選択的に行う。
【００２７】
前記の構成では、第１出金動作を行うことにより、払い出されるべき紙幣が出金処理において収納部から払出部に搬送された後に払出部から払い出される場合よりも、出金処理に要する時間を短縮することができる。また、第２出金動作を行うことにより、払い出されるべき紙幣の全部が出金処理において収納部から払出部に搬送された後に払出部から払い出される場合よりも、出金処理に要する時間を短縮することができる。
【発明の効果】
【００２８】
ここに開示する技術によれば、出金処理に要する時間を短縮することができる。
【図面の簡単な説明】
【００２９】
【図１】実施形態１による貨幣処理システムの構成を例示する斜視図である。
【図２】実施形態１による貨幣処理システムの構成を例示する概略図である。
【図３】払出部の構成を例示する概略断面図である。
【図４】払出部の構成を例示する概略断面図である。
【図５】第１払出動作について説明するための概略断面図である。
【図６】第２払出動作について説明するための概略断面図である。
【図７】第３払出動作について説明するための概略断面図である。
【図８】第４払出動作について説明するための概略断面図である。
【図９】第１補充動作について説明するための概略断面図である。
【図１０】第２補充動作について説明するための概略断面図である。
【図１１】実施形態２の紙幣処理装置の構成を例示する概略図である。
【発明を実施するための形態】
【００３０】
以下、実施の形態を図面を参照して詳しく説明する。なお、図中同一または相当部分には同一の符号を付しその説明は繰り返さない。
【００３１】
（実施形態１）
図１と図２は、実施形態１による貨幣処理システム１の外観と構成をそれぞれ例示している。貨幣処理システム１は、紙幣処理装置１０と、硬貨処理装置１１と、管理装置１２とを備えている。
【００３２】
この例では、紙幣処理装置１０は、紙幣釣銭機を構成し、硬貨処理装置１１は、硬貨釣銭機を構成し、管理装置１２は、ＰＯＳ端末を構成している。そして、この貨幣処理システム１では、商品代金などが管理装置１２に入力され、顧客から預けられた金額（預かり金額）から顧客により支払われるべき金額（支払金額）を差し引いて得られる釣銭金額に相当する紙幣および硬貨が紙幣処理装置１０および硬貨処理装置１１からそれぞれ払い出される。例えば、貨幣処理システム１は、コンビニエンスストアやスーパーマーケットなどのような店舗のレジカウンタなどに設けられている。
【００３３】
〔紙幣処理装置〕
紙幣処理装置１０は、紙幣を処理する。紙幣処理装置１０は、入金処理や出金処理や回収処理などの各種処理を行う。入金処理は、紙幣処理装置１０に紙幣が受け入れられる処理のことであり、出金処理は、紙幣処理装置１０から紙幣が払い出される処理のことであり、回収処理は、紙幣処理装置１０から紙幣が回収される処理のことである。
【００３４】
図２に示すように、紙幣処理装置１０は、筐体１００と、受入部１０１と、払出部１０２と、複数（この例では３つ）の収納部１０３と、リジェクト部１０４と、回収部１０５と、搬送部１０６と、識別部１０７と、記憶部１０８と、制御部１０９とを備えている。
【００３５】
なお、以下の説明において用いる方向（上下左右前後）は、水平面に設置された紙幣処理装置１０を正面から見た場合の方向を示している。
【００３６】
〈筐体〉
筐体１００は、直方体型の箱状に形成されている。筐体１００には、紙幣処理装置１０の構成要素（この例では受入部１０１と払出部１０２と収納部１０３とリジェクト部１０４と回収部１０５と搬送部１０６と識別部１０７と記憶部１０８と制御部１０９）が収納されている。
【００３７】
この例では、筐体１００の前面部には、受入部１０１と払出部１０２とリジェクト部１０４と回収部１０５が配置され、右から左へ向けて受入部１０１と払出部１０２とリジェクト部１０４と回収部１０５が順に並んでいる。筐体１００の後面部には、３つの収納部１０３が配置され、３つの収納部１０３が左右方向に並んでいる。筐体１００の前後方向における中央部には、搬送部１０６が配置されている。
【００３８】
〈受入部〉
受入部１０１は、紙幣の受け入れと繰り出しを行う。この例では、受入部１０１には、筐体１００の前方に開口する受入口１０１ａが設けられている。操作者は、受入部１０１の受入口１０１ａに紙幣を投入する。受入部１０１は、受入口１０１ａに投入された紙幣を受け入れる。また、受入部１０１には、受入部１０１に受け入れられた紙幣を搬送部１０６に繰り出す繰出機構１０１ｂが設けられている。
【００３９】
〈払出部〉
払出部１０２は、紙幣の払い出しを行う。この例では、払出部１０２には、筐体１００の前方に開口する払出口１０２ａが設けられている。払出部１０２は、払出口１０２ａを介して紙幣を払い出す。操作者は、払出部１０２の払出口１０２ａから払い出された紙幣を受け取る。
【００４０】
なお、払出部１０２には、払出部１０２に保留されるべき紙幣の金額である保留金額が予め設定されている。そして、払出部１０２は、予め設定された保留金額に相当する紙幣（１枚の紙幣または複数枚の紙幣）を保留するように構成されている。払出部１０２の構成については、後で詳しく説明する。
【００４１】
〈収納部〉
複数の収納部１０３は、それぞれが収納している紙幣を繰り出す。この例では、複数の収納部１０３は、それぞれが紙幣の収納と繰り出しを行う。複数の収納部１０３の各々には、その収納部１０３に収納されている紙幣を搬送部１０６に繰り出す繰出機構１０３ａが設けられている。また、この例では、複数の収納部１０３は、紙幣を金種別に収納するように構成されている。具体的には、この紙幣処理装置１０では、３種類の紙幣（千円紙幣と五千円紙幣と一万円紙幣）が取り扱われ、３つの収納部１０３のうち１つの収納部１０３は、千円紙幣を収納し、もう１つの収納部１０３は、五千円紙幣を収納し、残りの１つの収納部１０３は、一万円紙幣を収納する。
【００４２】
〈リジェクト部〉
リジェクト部１０４は、出金処理においてリジェクト対象となる紙幣を集積する。
【００４３】
〈回収部〉
回収部１０５は、回収処理において回収されるべき紙幣を集積する。また、回収部１０５は、筐体１００に対して着脱可能となっている。
【００４４】
〈搬送部〉
搬送部１０６は、紙幣処理装置１０内において紙幣を搬送する。この例では、搬送部１０６は、環状搬送路１０６ａと、複数の接続搬送路１０６ｂとを有している。環状搬送路１０６ａは、円形の環状に形成されている。複数（この例では７つ）の接続搬送路１０６ｂは、環状搬送路１０６ａと紙幣処理装置１０の各部（この例では受入部１０１と払出部１０２と３つの収納部１０３とリジェクト部１０４と回収部１０５）とをそれぞれ接続している。また、この例では、搬送部１０６は、紙幣の長手方向が搬送方向に沿うように紙幣を搬送する。すなわち、搬送部１０６は、長手搬送を行うように構成されている。
【００４５】
なお、環状搬送路１０６ａおよび複数の接続搬送路１０６ｂは、紙幣を搬送するための機構（例えば搬送ベルトや搬送ローラ）や、紙幣の搬送を案内するための部材などによって構成されている。また、搬送部１０６は、環状搬送路１０６ａおよび複数の接続搬送路１０６ｂの他に、これらの搬送路に設けられて紙幣の搬送方向の切り換えを行う分岐機構（例えば分岐爪）や、これらの搬送路に設けられた搬送機構や分岐機構を駆動させる駆動機構（例えばモータやギア）などを有している。
【００４６】
〈識別部〉
識別部１０７は、紙幣を識別する。この例では、識別部１０７は、搬送部１０６の環状搬送路１０６ａに設けられ、環状搬送路１０６ａにおいて搬送される紙幣に対して識別処理を行う。識別処理では、紙幣の金種や真偽や正損や新旧や方向（表裏と向き）や搬送状態などが識別される。例えば、識別部１０７は、ラインセンサや磁気センサや画像センサなどの各種センサや、プロセッサや、プロセッサを動作させるためのプログラムや情報を記憶するメモリなどによって構成されている。識別部１０７による紙幣の識別結果は、制御部１０９に送信される。
【００４７】
〈各種センサ〉
また、紙幣処理装置１０の各部には、紙幣の通過を検知する通過センサなどの各種センサ（図示を省略）が設けられている。これらの各種センサの検出信号は、制御部１０９に送信される。
【００４８】
〈記憶部〉
記憶部１０８は、情報を記憶する。例えば、記憶部１０８は、ハードディスクドライブやフラッシュメモリなどの汎用ストレージデバイスによって構成されている。記憶部１０８には、紙幣処理装置１０における紙幣の在高に関する情報である紙幣在高情報や、紙幣処理装置１０の動作を制御するための制御情報（例えば各種設定に関する情報）などが記憶されている。なお、紙幣在高情報には、収納部１０３に収納されている紙幣の在高に関する情報と、払出部１０２に保留されている紙幣の在高に関する情報とが含まれている。
【００４９】
〈制御部〉
制御部１０９は、紙幣処理装置１０の各部（この例では受入部１０１と払出部１０２と収納部１０３とリジェクト部１０４と回収部１０５と搬送部１０６と識別部１０７）と電気的に接続されて紙幣処理装置１０の各部との間において信号や情報を伝送可能となっている。また、制御部１０９は、貨幣処理システム１の各部（この例では硬貨処理装置１１と管理装置１２）や外部機器（図示省略）と通信可能となっている。そして、制御部１０９は、紙幣処理装置１０の各部（各部に設けられた各種センサを含む）や貨幣処理システム１の各部や外部機器から送られてきた信号や情報などに基づいて、紙幣処理装置１０において各種処理が行われるように、紙幣処理装置１０の各部を制御して紙幣処理装置１０の動作を制御する。例えば、制御部１０９は、プロセッサや、プロセッサを動作させるためのプログラムや情報を記憶するメモリなどによって構成されている。なお、制御部１０９の動作については、後で詳しく説明する。
【００５０】
〔硬貨処理装置〕
硬貨処理装置１１は、硬貨を処理する。この例では、硬貨処理装置１１は、硬貨入金処理や硬貨出金処理などの各種処理を行う。硬貨入金処理は、硬貨処理装置１１に硬貨が受け入れられる処理のことであり、硬貨出金処理は、硬貨処理装置１１から硬貨が払い出される処理のことである。例えば、硬貨処理装置１１は、硬貨の受け入れを行う硬貨受入部や、硬貨の払い出しを行う硬貨払出部や、硬貨の収納と繰り出しを行う硬貨収納部や、硬貨を搬送する硬貨搬送部や、これらを制御する制御部などを備えている。
【００５１】
〔管理装置〕
管理装置１２は、紙幣処理装置１０および硬貨処理装置１１を管理する。管理装置１２は、操作部１２１と、表示部１２２と、記憶部１２３と、制御部１２４とを備えている。
【００５２】
操作部１２１は、操作者による操作が与えられ、その操作者による操作に応じて情報を入力する。操作者は、操作部１２１を操作して管理装置１２に各種処理を行わせることができる。すなわち、管理装置１２は、操作者による操作に応答して動作する。表示部１２２は、情報を表示する。
【００５３】
記憶部１２３は、情報を記憶する。例えば、記憶部１２３は、ハードディスクドライブやフラッシュメモリなどの汎用ストレージデバイスによって構成されている。記憶部１２３には、貨幣処理システム１における貨幣の処理状況に関する情報や、貨幣処理システム１における貨幣の在高に関する情報や、表示部１２２に表示される操作画面などの画像情報（画像データ）や、管理装置１２の動作を制御するための制御情報（例えば各種設定に関する情報）などが記憶されている。
【００５４】
制御部１２４は、管理装置１２の各部（この例では操作部１２１と表示部１２２と記憶部１２３）と電気的に接続されて管理装置１２の各部との間において信号や情報を伝送可能となっている。また、制御部１２４は、貨幣処理システム１の各部（この例では紙幣処理装置１０と硬貨処理装置１１や外部機器（図示を省略）と通信可能となっている。そして、制御部１２４は、操作部１２１に与えられた操作や、管理装置１２の各部や貨幣処理システム１の各部や外部機器から送られてきた信号や情報などに基づいて、管理装置１２において各種処理が行われるように、管理装置１２の各部を制御して管理装置１２の動作を制御する。例えば、制御部１２４は、プロセッサや、プロセッサを動作させるためのプログラムや情報を記憶するメモリなどによって構成されている。
【００５５】
〔払出部の構成〕
図３と図４は、払出部１０２の構成を例示している。この例では、払出部１０２は、筐体２０と、払出機構３０と、切換機構４０とを有している。なお、図４は、図３のＩＶ−ＩＶ線における断面図に相当する。
【００５６】
〈筐体（集積部）〉
筐体２０は、直方体型の箱状に形成されている。筐体２０の前面部には、払出口１０２ａが設けられている。筐体２０の背面部には、接続口１０２ｂが設けられている。接続口１０２ｂには、搬送部１０６の接続搬送路１０６ｂが接続される。
【００５７】
また、筐体２０には、複数の集積部２００が設けられている。複数の集積部２００は、それぞれが紙幣を集積可能に構成されている。複数の集積部２００には、それぞれ異なる保留金額が予め設定されている。複数の集積部２００の各々は、その集積部２００に対して設定された保留金額に相当する紙幣を保留するように構成されている。この例では、複数の集積部２００のうちいずれか１つの集積部２００における保留金額は、紙幣処理装置１０において取り扱われる紙幣の最小額（具体的には千円）に設定されている。
【００５８】
なお、この例では、複数の集積部２００は、第１集積部２０１と第２集積部２０２とを含んでいる。第１集積部２０１は、後述する第１空間により構成され、第２集積部２０２は、後述する第２空間により構成されている。そして、第１集積部２０１における保留金額は、紙幣処理装置１０において取り扱われる紙幣の最小額である「千円」であり、第１集積部２０１に保留される紙幣は、１枚の千円紙幣Ｂ１である。第２集積部２０２における保留金額は、「千円」とは異なる「五千円」であり、第２集積部２０２に保留される紙幣は、１枚の五千円紙幣Ｂ５である。
【００５９】
〈払出機構〉
払出機構３０は、複数の集積部２００のうちいずれか１つの集積部２００に集積された紙幣をその集積部２００から払い出す。この例では、払出機構３０は、複数の集積部２００にそれぞれ設けられた複数の可動機構３００と、搬送機構４００とを有している。すなわち、複数の集積部２００の各々に１つの可動機構３００が設けられている。
【００６０】
なお、この例では、集積部２００において、紙幣の面が上下方向に沿う姿勢で、紙幣が前後方向に搬送される。また、以下では、集積部２００における紙幣の搬送方向に沿う方向（この例では前後方向）を「第１方向」と記載し、集積部２００における紙幣の搬送方向と直交する搬送幅方向に沿う方向（この例では上下方向）を「第２方向」と記載し、集積部２００における紙幣の搬送方向および搬送幅方向と直交する搬送高さ方向に沿う方向（この例では左右方向）を「第３方向」と記載する。
【００６１】
《可動機構》
複数の可動機構３００の各々は、保持動作と第１引渡動作と第２引渡動作とを行うように構成されている。保持動作では、可動機構３００は、複数の集積部２００のうちその可動機構３００が設けられた集積部２００に保留されている紙幣を保持する。第１引渡動作では、可動機構３００は、その可動機構３００が保持している紙幣を搬送機構４００に引き渡す。第２引渡動作では、可動機構３００は、その可動機構３００が設けられた集積部２００に搬送されてきた紙幣とその可動機構３００が保持している紙幣とを搬送機構４００に引き渡す。この例では、複数の集積部２００の各々に設けられた可動機構３００は、その集積部２００に集積されている紙幣を後述する搬送ベルト４０１に押し付けることで紙幣を搬送ベルト４０１に引き渡すように構成されている。なお、可動機構３００の構成については、後で詳しく説明する。
【００６２】
また、この例では、複数の可動機構３００は、第１可動機構３０１と第２可動機構３０２とを含んでいる。第１可動機構３０１は、第１集積部２０１に設けられ、第２可動機構３０２は、第２集積部２０２に設けられている。そして、第１可動機構３０１は、第１集積部２０１に集積されている紙幣を搬送ベルト４０１に押し付けることで紙幣を搬送ベルト４０１に引き渡す。第２可動機構３０２は、第２集積部２０２に集積されている紙幣を搬送ベルト４０１に押し付けることで紙幣を搬送ベルト４０１に引き渡す。
【００６３】
《搬送機構》
搬送機構４００は、複数の可動機構３００のうちいずれか１つの可動機構３００により引き渡された紙幣を搬送して払い出すように構成されている。この例では、搬送機構４００は、１つまたは複数（この例では２つ）の搬送ベルト４０１を有している。
【００６４】
搬送ベルト４０１は、筐体２０の内部空間を第１空間と第２空間とに区画するように筐体２０の内部に設けられている。この第１空間は、第１集積部２０１を構成し、この第２空間は、第２集積部２０２を構成している。また、搬送ベルト４０１は、回転駆動により紙幣を搬送して払い出すように構成されている。
【００６５】
具体的には、この例では、２つの搬送ベルト４０１は、それぞれが第１方向（この例では前後方向）に延伸するように形成されて第２方向（この例では上下方向）に所定の間隔をおいて配置されている。なお、２つの搬送ベルト４０１は、筐体２０の接続口１０２ｂから払出口１０２ａまで延伸している。そして、搬送ベルト４０１が第１回転方向（図３では時計回り方向）に回転駆動することにより、第１可動機構３０１により搬送ベルト４０１に押し付けられた紙幣が払出口１０２ａへ向けて搬送される。一方、搬送ベルト４０１が第１回転方向の逆方向である第２回転方向（図３では反時計回り方向）に回転駆動することにより、第２可動機構３０２により搬送ベルト４０１に押し付けられた紙幣が払出口１０２ａへ向けて搬送される。
【００６６】
《可動機構の構成》
図３に示すように、可動機構３００は、可動部材３１１と、ガイド部材３１２と、搬送ローラ３１３と、札叩き車３１４とを有している。
【００６７】
《可動部材》
可動部材３１１は、紙幣を搬送ベルト４０１に押し付けるために設けられている。この例では、可動部材３１１は、第１方向（この例では前後方向）に延伸する矩形の板状に形成され、その板面が搬送ベルト４０１の搬送面と対向するように配置されている。また、可動部材３１１は、第３方向（この例では左右方向）に移動可能となっている。具体的には、可動部材３１１は、紙幣を搬送ベルト４０１に押し付ける場合に、予め定められた保持位置（図３に示す位置）から搬送ベルト４０１に近づく方向に移動する。なお、この例では、可動部材３１１は、リンク部材３１１ａによりソレノイドなどの駆動機構（図示を省略）と連結されており、駆動機構と連動するようになっている。
【００６８】
《ガイド部材》
ガイド部材３１２は、集積部２００に搬送されてきた紙幣を可動部材３１１へ向けて案内するように構成されている。また、ガイド部材３１２は、紙幣を可動部材３１１との間に挟み込んで保持するように構成されている。この例では、ガイド部材３１２は、第１方向（この例では前後方向）に延伸する矩形の板状に形成され、その板面が可動部材３１１の板面と対向するように可動部材３１１の搬送ベルト４０１に近い側に配置されている。また、筐体２０には、揺動軸３１２ａが設けられている。揺動軸３１２ａは、第２方向（この例では上下方向）に延伸し、搬送ベルト４０１の内側に配置されている。そして、ガイド部材３１２は、揺動軸３１２ａを中心として揺動可能となっている。具体的には、ガイド部材３１２は、集積部２００に搬送されてきた紙幣を保持位置に配置された可動部材３１１へ向けて案内する案内位置（図３に示す位置）と、紙幣との接触を回避する回避位置（例えば図５の図中上側に示す位置）とに揺動する。また、ガイド部材３１２は、付勢手段（図示を省略）により案内位置へ向けて付勢されている。なお、この例では、図４に示すように、３つのガイド部材３１２が第２方向（この例では上下方向）に間隔をおいて配置されており、平面視（第３方向から見た場合）において３つのガイド部材３１２の間に２つの搬送ベルト４０１がそれぞれ配置されている。また、この例では、ガイド部材３１２は、リンク機構（図示を省略）によりソレノイドなどの駆動機構（図示を省略）と連結されており、駆動機構および可動部材３１１と連動するようになっている。
【００６９】
《搬送ローラ》
搬送ローラ３１３は、搬送ベルト４０１との間に紙幣を挟み込んで搬送ベルト４０１とともに回転することにより紙幣を搬送する。具体的には、第１集積部２０１の搬送ローラ３１３と搬送ベルト４０１との間に紙幣が挟み込まれた状態で、搬送ベルト４０１が第１回転方向（図３では時計回りの方向）に回転することにより、第１集積部２０１において接続口１０２ｂ側から払出口１０２ａ側へ向けて紙幣が搬送される。また、第２集積部２０２の搬送ローラ３１３と搬送ベルト４０１との間に紙幣が挟み込まれた状態で、搬送ベルト４０１が第２回転方向（図３では反時計回りの方向）に回転することにより、第２集積部２０２において接続口１０２ｂ側から払出口１０２ａ側へ向けて紙幣が搬送される。
【００７０】
《札叩き車》
札叩き車３１４は、搬送ローラ３１３とともに回転する。そして、札叩き車３１４は、集積部２００において接続口１０２ｂ側から払出口１０２ａ側へ向けて紙幣が搬送される場合に、紙幣の搬送方向における後縁部を可動部材３１１側に叩き付けるように構成されている。
【００７１】
《可動機構の動作》
可動機構３００は、集積部２００に保留されている紙幣を保持位置（図３に示す位置）に配置された可動部材３１１と案内位置（図３に示す位置）に配置されたガイド部材３１２との間に挟み込むことにより、集積部２００に保留されている紙幣を保持する。
【００７２】
また、可動機構３００は、可動部材３１１を保持位置から搬送ベルト４０１に近づく方向に移動させて可動部材３１１と搬送ベルト４０１との間に集積されている紙幣（集積部２００に集積されている紙幣）に押し当てることにより、集積部２００に集積されている紙幣を搬送ベルト４０１に押し付ける。なお、このとき、ガイド部材３１２は、回避位置（図５の図中上側に示す位置）に退避させた状態にある。
【００７３】
〈切換機構〉
切換機構４０は、搬送部１０６から払出部１０２に搬送されてきた紙幣を複数の集積部２００のうちいずれか１つの集積部２００に案内する。この例では、切換機構４０は、分岐爪４１を有している。
【００７４】
分岐爪４１は、搬送部１０６から払出部１０２に搬送されてきた紙幣を第１集積部２０１に案内する第１状態（図６に示した状態）と、搬送部１０６から払出部１０２に搬送されてきた紙幣を第２集積部２０２に案内する第２状態（図８に示した状態）とに切り換え可能となっている。
【００７５】
〈有無検知センサ〉
また、複数の集積部２００の各々には、その集積部２００における紙幣の有無を検知する有無検知センサが設けられている。この例では、第１集積部２０１には、第１集積部２０１における紙幣の有無を検知する第１有無検知センサ５１が設けられ、第２集積部２０２には、第２集積部２０２における紙幣の有無を検知する第２有無検知センサ５２が設けられている。これらの有無検知センサの検知信号は、制御部１０９に送信される。
【００７６】
〔制御部の動作〕
次に、制御部１０９の動作について説明する。制御部１０９の動作には、入金動作と、出金動作と、補充動作と、連続出金動作と、回収動作とが含まれている。
【００７７】
〈入金動作〉
制御部１０９は、入金処理において入金動作を行う。入金動作では、制御部１０９は、受入部１０１から繰り出された紙幣が識別部１０７において識別されて識別部１０７による識別結果に応じて収納部１０３に搬送されるように、紙幣処理装置１０の動作を制御する。
【００７８】
具体的には、入金動作では、受入部１０１に受け入れられた紙幣が受入部１０１から搬送部１０６に繰り出され、識別部１０７に搬送されて識別される。識別部１０７において正常であると識別された紙幣は、搬送部１０６により収納部１０３（識別部１０７において識別された紙幣の金種と同一の金種が割り当てられた収納部１０３）に搬送されて収納される。一方、識別部１０７においてリジェクト対象であると識別された紙幣（入金リジェクト紙幣）は、搬送部１０６により受入部１０１に搬送される。
【００７９】
〈出金動作〉
制御部１０９は、出金処理において第１出金動作と第２出金動作とを選択的に行う。
【００８０】
《第１出金動作》
第１出金動作では、制御部１０９は、払出部１０２に保留されている紙幣だけが払出部１０２から払い出されるように、紙幣処理装置１０の動作を制御する。
【００８１】
この例では、第１出金動作において、複数の集積部２００の各々に設けられた可動機構３００のうちいずれか１つの可動機構３００が第１引渡動作（可動機構３００が保持している紙幣を搬送機構４００に引き渡す動作）を行う。これにより、第１出金動作では、複数の集積部２００のうちいずれか１つの集積部２００（第１引渡動作を行う可動機構３００が設けられた集積部２００）に保留されている紙幣がその集積部２００から払い出される。
【００８２】
具体的には、第１出金動作では、複数の集積部２００（第１集積部２０１および第２集積部２０２）の中から出金処理において紙幣処理装置１０から払い出されるべき金額と同額の保留金額が設定されている集積部２００が選択され、その集積部２００に設けられた可動機構３００が第１引渡動作を行う。これにより、その集積部２００に集積されている紙幣（すなわち集積部２００に保留されている紙幣）が搬送機構４００に引き渡され、搬送機構４００に引き渡された紙幣が払い出される。
【００８３】
《第２出金動作》
第２出金動作では、制御部１０９は、収納部１０３から繰り出された紙幣が払出部１０２に搬送されて、その紙幣（すなわち払出部１０２に搬送されてきた紙幣）と元から払出部１０２に保留されていた紙幣とが合わされて払出部１０２から払い出されるように、紙幣処理装置１０の動作を制御する。
【００８４】
この例では、第２出金動作において、複数の集積部２００の各々に設けられた可動機構３００のうちいずれか１つの可動機構３００が第２引渡動作（可動機構３００が設けられた集積部２００に搬送されてきた紙幣と可動機構３００が保持している紙幣とを搬送機構４００に引き渡す動作）を行う。これにより、収納部１０３から繰り出された紙幣が複数の集積部２００のうちいずれか１つの集積部２００（第２引渡動作を行う可動機構３００が設けられた集積部２００）に搬送されて、その紙幣（すなわち集積部２００に搬送されてきた紙幣）とその集積部２００に保留されている紙幣とがその集積部２００から払い出される。なお、集積部２００に搬送されてきた紙幣と集積部２００に保留されている紙幣とが一括して払い出される。
【００８５】
具体的には、第２出金動作では、複数の集積部２００（第１集積部２０１および第２集積部２０２）の中から出金処理の対象となる１つの集積部２００が選択され、出金処理において紙幣処理装置１０から払い出されるべき金額から出金処理の対象として選択された集積部２００に設定されている保留金額が差し引かれて不足金額が算出される。そして、複数の収納部１０３の中から不足金額に相当する紙幣を繰り出すべき収納部１０３が選択され、その収納部１０３に収納されている紙幣が搬送部１０６に繰り出され、識別部１０７に搬送されて識別される。識別部１０７において正常であると識別された紙幣は、搬送部１０６により払出部１０２に搬送される。一方、識別部１０７においてリジェクト対象であると識別された紙幣（出金リジェクト紙幣）は、搬送部１０６によりリジェクト部１０４に搬送される。
【００８６】
払出部１０２に搬送されてきた紙幣は、切換機構４０によりいずれかの集積部２００（出金処理の対象として選択された集積部２００）に案内されて集積される。そして、収納部１０３から集積部２００への紙幣（不足金額に相当する紙幣）の搬送が完了すると、その集積部２００に設けられた可動機構３００が第２引渡動作を行う。これにより、その集積部２００に集積されている紙幣（すなわち集積部２００に搬送されてきた紙幣と集積部２００に保留されている紙幣）が搬送機構４００に引き渡され、搬送機構４００に引き渡された紙幣が払い出される。
【００８７】
〈出金動作の具体例〉
この例では、第１集積部２０１における保留金額は、「千円」であり、第１集積部２０１に保留される紙幣は、１枚の千円紙幣Ｂ１である。第２集積部２０２における保留金額は、「五千円」であり、第２集積部２０２に保留される紙幣は、１枚の五千円紙幣Ｂ５である。また、第２出金動作では、紙幣処理装置１０において取り扱われる最小額の紙幣である「千円紙幣Ｂ１」が収納部１０３から繰り出されて複数の集積部２００（第１集積部２０１と第２集積部２０２）のうちいずれか１つの集積部２００に搬送される。
【００８８】
そして、この例では、制御部１０９は、出金処理において払い出されるべき金額に応じて、第１払出動作と第２払出動作と第３払出動作と第４払出動作を選択的に行う。なお、第１払出動作および第３払出動作は、第１出金動作の一例であり、第２払出動作および第４払出動作は、第２出金動作の一例である。
【００８９】
《第１払出動作（第１出金動作）〉
第１払出動作は、出金処理において払い出されるべき金額が「千円」である場合に行われる。第１払出動作では、第１集積部２０１に保留されている１枚の千円紙幣Ｂ１が払い出される。
【００９０】
図５に示すように、第１払出動作では、搬送ベルト４０１が第１回転方向に回転する。第１集積部２０１では、可動部材３１１が保持位置（図３に示す位置）から搬送ベルト４０１に近づく方向に移動し、ガイド部材３１２が可動部材３１１の移動に連動して案内位置（図３に示す位置）から回避位置（図５の図中上側に示す位置）に揺動する。これにより、可動部材３１１とガイド部材３１２との間に挟み込まれている１枚の千円紙幣Ｂ１は、搬送ベルト４０１に近づく方向に移動し、可動部材３１１により搬送ベルト４０１に押し付けられる。そして、搬送ベルト４０１に押し付けられた１枚の千円紙幣Ｂ１は、第１回転方向に回転する搬送ベルト４０１により払出口１０２ａへ向けて搬送されて払出口１０２ａから払い出される。
【００９１】
《第２払出動作（第２出金動作）〉
第２払出動作は、出金処理において払い出されるべき金額が「二千円」から「四千円」までの金額である場合に行われる。第２払出動作では、出金処理において払い出されるべき金額から「千円」を差し引いて得られる不足金額に相当する枚数（１〜３枚）の千円紙幣Ｂ１が収納部１０３から第１集積部２０１に搬送され、第１集積部２０１に搬送されてきた千円紙幣Ｂ１と第１集積部２０１に保留されている千円紙幣Ｂ１とが払い出される。なお、図６には、出金処理において払い出されるべき金額が「四千円」である場合に行われる第２払出動作が例示されている。
【００９２】
図６の上部に示すように、第２払出動作では、搬送ベルト４０１が第１回転方向に回転する。第１集積部２０１では、搬送ベルト４０１の回転に連動して搬送ローラ３１３と札叩き車３１４が回転している。また、第１集積部２０１では、可動部材３１１は、保持位置に配置されており、ガイド部材３１２は、案内位置に配置されている。そして、分岐爪４１が第１状態（図６に示す状態）に切り換えられる。これにより、払出部１０２に搬送されてきた千円紙幣Ｂ１は、分岐爪４１により第１集積部２０１に案内される。
【００９３】
第１集積部２０１に案内された千円紙幣Ｂ１は、搬送ベルト４０１と搬送ローラ３１３との間に挟み込まれて払出口１０２ａ側へ向けて搬送されてガイド部材３１２により可動部材３１１側に案内される。そして、千円紙幣Ｂ１の搬送方向における前縁部が可動部材３１１とガイド部材３１２との間に挟み込まれる。また、千円紙幣Ｂ１の搬送方向における後縁部は、札叩き車３１４により可動部材３１１側に叩き付けられる。なお、図６の例では、第１集積部２０１への千円紙幣Ｂ１の搬送が３回行われ、第１集積部２０１に保留されていた１枚の千円紙幣Ｂ１に加えて３枚の千円紙幣Ｂ１が可動部材３１１とガイド部材３１２との間に集積される。
【００９４】
次に、図６の下部に示すように、第１集積部２０１では、可動部材３１１が保持位置から搬送ベルト４０１に近づく方向に移動し、ガイド部材３１２が可動部材３１１の移動に連動して案内位置から回避位置に揺動する。これにより、可動部材３１１とガイド部材３１２との間に挟み込まれている４枚の千円紙幣Ｂ１の束は、搬送ベルト４０１に近づく方向に移動し、可動部材３１１により搬送ベルト４０１に押し付けられる。そして、搬送ベルト４０１に押し付けられた４枚の千円紙幣Ｂ１の束は、第１回転方向に回転する搬送ベルト４０１により払出口１０２ａへ向けて搬送されて払出口１０２ａから払い出される。
【００９５】
《第３払出動作（第１出金動作）》
第３払出動作は、出金処理において払い出されるべき金額が「五千円」である場合に行われる。第３払出動作では、第２集積部２０２に保留されている１枚の五千円紙幣Ｂ５が払い出される。
【００９６】
図７に示すように、第３払出動作では、搬送ベルト４０１が第２回転方向に回転する。第２集積部２０２では、可動部材３１１が保持位置（図３に示す位置）から搬送ベルト４０１に近づく方向に移動し、ガイド部材３１２が可動部材３１１の移動に連動して案内位置（図３に示す位置）から回避位置（図７の図中下側に示す位置）に揺動する。これにより、可動部材３１１とガイド部材３１２との間に挟み込まれている１枚の五千円紙幣Ｂ５は、搬送ベルト４０１に近づく方向に移動し、可動部材３１１により搬送ベルト４０１に押し付けられる。そして、搬送ベルト４０１に押し付けられた１枚の五千円紙幣Ｂ５は、第２回転方向に回転する搬送ベルト４０１により払出口１０２ａへ向けて搬送されて払出口１０２ａから払い出される。
【００９７】
《第４払出動作（第２出金動作）》
第４払出動作は、出金処理において払い出されるべき金額が「六千円」から「九千円」までの金額である場合に行われる。第４払出動作では、出金処理において払い出されるべき金額から「千円」を差し引いて得られる不足金額に相当する枚数（１〜４枚）の千円紙幣Ｂ１が収納部１０３から第２集積部２０２に搬送され、第２集積部２０２に搬送されてきた千円紙幣Ｂ１と第２集積部２０２に保留されている五千円紙幣Ｂ５とが払い出される。なお、図８には、出金処理において払い出されるべき金額が「八千円」である場合に行われる第４払出動作が例示されている。
【００９８】
図８の上部に示すように、第４払出動作では、搬送ベルト４０１が第２回転方向に回転する。第２集積部２０２では、搬送ベルト４０１の回転に連動して搬送ローラ３１３と札叩き車３１４が回転している。また、第２集積部２０２では、可動部材３１１は、保持位置に配置されており、ガイド部材３１２は、案内位置に配置されている。そして、分岐爪４１が第２状態（図８に示す状態）に切り換えられる。これにより、払出部１０２に搬送されてきた千円紙幣Ｂ１は、分岐爪４１により第２集積部２０２に案内される。
【００９９】
第２集積部２０２に案内された千円紙幣Ｂ１は、搬送ベルト４０１と搬送ローラ３１３との間に挟み込まれて払出口１０２ａ側へ向けて搬送されてガイド部材３１２により可動部材３１１側に案内される。そして、千円紙幣Ｂ１の搬送方向における前縁部が可動部材３１１とガイド部材３１２との間に挟み込まれる。また、千円紙幣Ｂ１の搬送方向における後縁部は、札叩き車３１４により可動部材３１１側に叩き付けられる。なお、図８の例では、第２集積部２０２への千円紙幣Ｂ１の搬送が３回行われ、第２集積部２０２に保留されていた１枚の五千円紙幣Ｂ５に加えて３枚の千円紙幣Ｂ１が可動部材３１１とガイド部材３１２との間に集積される。
【０１００】
次に、図８の下部に示すように、第２集積部２０２では、可動部材３１１が保持位置から搬送ベルト４０１に近づく方向に移動し、ガイド部材３１２が可動部材３１１の移動に連動して案内位置から回避位置に揺動する。これにより、可動部材３１１とガイド部材３１２との間に挟み込まれている１枚の五千円紙幣Ｂ５と３枚の千円紙幣Ｂ１の束は、搬送ベルト４０１に近づく方向に移動し、可動部材３１１により搬送ベルト４０１に押し付けられる。そして、搬送ベルト４０１に押し付けられた１枚の五千円紙幣Ｂ５と３枚の千円紙幣Ｂ１の束は、第１回転方向に回転する搬送ベルト４０１により払出口１０２ａへ向けて搬送されて払出口１０２ａから払い出される。
【０１０１】
〈補充動作〉
また、制御部１０９は、保留金額に相当する紙幣が払出部１０２に保留されていない場合に補充動作を行う。補充動作では、制御部１０９は、保留金額に相当する紙幣が払出部１０２に搬送されて保留されるように、紙幣処理装置１０の動作を制御する。例えば、補充動作は、出金処理が完了した後に行われる。
【０１０２】
この例では、制御部１０９は、複数の集積部２００のうち保留金額に相当する紙幣が保留されていない集積部２００が存在する場合に補充動作を行う。補充動作では、制御部１０９は、保留金額に相当する紙幣が保留されていない集積部２００にその保留金額に相当する紙幣が搬送されて保留されるように、紙幣処理装置１０の動作を制御する。
【０１０３】
具体的には、補充動作では、複数の収納部１０３の中から保留金額に相当する紙幣を繰り出すべき収納部１０３が選択され、その収納部１０３に収納されている紙幣が搬送部１０６に繰り出され、識別部１０７に搬送されて識別される。識別部１０７において正常であると識別された紙幣は、搬送部１０６により払出部１０２に搬送される。
【０１０４】
払出部１０２に搬送されてきた紙幣は、切換機構４０により集積部２００（保留金額に相当する紙幣が保留されていない集積部２００）に案内されて集積される。そして、収納部１０３から集積部２００への紙幣（保留金額に相当する紙幣）の搬送が完了すると、その集積部２００に集積されている紙幣が可動機構３００により保持される。
【０１０５】
〈補充動作の具体例〉
この例では、制御部１０９は、第１有無検知センサ５１の検知結果（第１集積部２０１における紙幣の有無）に応じて第１補充動作を行い、第２有無検知センサ５２の検知結果（第２集積部２０２における紙幣の有無）に応じて第２補充動作を行う。なお、第１集積部２０１における保留金額は、「千円」であり、第１集積部２０１に保留される紙幣は、１枚の千円紙幣Ｂ１である。第２集積部２０２における保留金額は、「五千円」であり、第２集積部２０２に保留される紙幣は、１枚の五千円紙幣Ｂ５である。
【０１０６】
《第１補充動作》
第１補充動作は、第１集積部２０１に紙幣がない場合（第１集積部２０１に千円紙幣Ｂ１が保留されていない場合）に行われる。第１補充動作では、１枚の千円紙幣Ｂ１が収納部１０３から第１集積部２０１に搬送され、第１集積部２０１に搬送されてきた千円紙幣Ｂ１が第１集積部２０１に保留される。
【０１０７】
図９に示すように、第１補充動作では、搬送ベルト４０１が第１回転方向に回転する。第１集積部２０１では、搬送ベルト４０１の回転に連動して搬送ローラ３１３と札叩き車３１４が回転している。また、第１集積部２０１では、可動部材３１１は、保持位置に配置されており、ガイド部材３１２は、案内位置に配置されている。そして、分岐爪４１が第１状態（図９に示す状態）に切り換えられる。これにより、払出部１０２に搬送されてきた千円紙幣Ｂ１は、分岐爪４１により第１集積部２０１に案内される。
【０１０８】
第１集積部２０１に案内された千円紙幣Ｂ１は、搬送ベルト４０１と搬送ローラ３１３との間に挟み込まれて払出口１０２ａ側へ向けて搬送されてガイド部材３１２により可動部材３１１側に案内される。そして、千円紙幣Ｂ１の搬送方向における前縁部が可動部材３１１とガイド部材３１２との間に挟み込まれる。また、千円紙幣Ｂ１の搬送方向における後縁部は、札叩き車３１４により可動部材３１１側に叩き付けられる。このようにして千円紙幣Ｂ１（第１集積部２０１に保留される紙幣）が可動部材３１１とガイド部材３１２との間に保持される。
【０１０９】
《第２補充動作》
第２補充動作は、第２集積部２０２に紙幣がない場合（第２集積部２０２に五千円紙幣Ｂ５が保留されていない場合）に行われる。第２補充動作では、１枚の五千円紙幣Ｂ５が収納部１０３から第２集積部２０２に搬送され、第２集積部２０２に搬送されてきた五千円紙幣Ｂ５が第２集積部２０２に保留される。
【０１１０】
図１０に示すように、第２補充動作では、搬送ベルト４０１が第２回転方向に回転する。第２集積部２０２では、搬送ベルト４０１の回転に連動して搬送ローラ３１３と札叩き車３１４が回転している。また、第２集積部２０２では、可動部材３１１は、保持位置に配置されており、ガイド部材３１２は、案内位置に配置されている。そして、分岐爪４１が第２状態（図１０に示す状態）に切り換えられる。これにより、払出部１０２に搬送されてきた五千円紙幣Ｂ５は、分岐爪４１により第２集積部２０２に案内される。
【０１１１】
第２集積部２０２に案内された五千円紙幣Ｂ５は、搬送ベルト４０１と搬送ローラ３１３との間に挟み込まれて払出口１０２ａ側へ向けて搬送されてガイド部材３１２により可動部材３１１側に案内される。そして、五千円紙幣Ｂ５の搬送方向における前縁部が可動部材３１１とガイド部材３１２との間に挟み込まれる。また、五千円紙幣Ｂ５の搬送方向における後縁部は、札叩き車３１４により可動部材３１１側に叩き付けられる。このようにして五千円紙幣Ｂ５（第２集積部２０２に保留される紙幣）が可動部材３１１とガイド部材３１２との間に保持される。
【０１１２】
〈補充動作の変形例〉
なお、制御部１０９は、出金処理の後に行われる入金処理において補充動作を行うように構成されていてもよい。この補充動作では、制御部１０９は、受入部１０１から繰り出された紙幣が識別部１０７において識別され、識別部１０７による識別結果に応じて払出部１０２（保留金額に相当する紙幣が保留されていない払出部１０２）に搬送されて保留されるように、紙幣処理装置１０の動作を制御する。
【０１１３】
具体的には、この補充動作では、受入部１０１に受け入れられた紙幣が受入部１０１から搬送部１０６に繰り出され、識別部１０７に搬送されて識別される。識別部１０７において正常であると識別された紙幣が集積部２００（保留金額に相当する紙幣が保留されていない集積部２００）に保留されるべき紙幣に該当する場合、その紙幣は、搬送部１０６により払出部１０２に搬送される。一方、識別部１０７において正常であると識別された紙幣が集積部２００に保留されるべき紙幣に該当しない場合、その紙幣は、搬送部１０６により収納部１０３（識別部１０７において識別された紙幣の金種と同一の金種が割り当てられた収納部１０３）に搬送される。また、識別部１０７においてリジェクト対象であると識別された紙幣（入金リジェクト紙幣）は、搬送部１０６により受入部１０１に搬送される。
【０１１４】
払出部１０２に搬送されてきた紙幣は、切換機構４０により集積部２００（保留金額に相当する紙幣が保留されていない集積部２００）に案内されて集積される。そして、収納部１０３から集積部２００への紙幣（保留金額に相当する紙幣）の搬送が完了すると、その集積部２００に集積されている紙幣が可動機構３００により保持される。
【０１１５】
集積部２００における紙幣の保留が完了すると、補充動作が終了して入金動作が開始される。これにより、受入部１０１から繰り出された紙幣は、識別部１０７において識別されて識別部１０７による識別結果に応じて収納部１０３に搬送される。
【０１１６】
〈連続出金動作〉
制御部１０９は、保留金額に相当する紙幣が払出部１０２に保留されていない状態で出金処理が行われる場合（例えば第１回目の出金処理の完了後に補充動作が行われずに第２回目の出金処理が開始された場合）に連続出金動作を行う。連続出金動作では、制御部１０９は、払出部１０２に対して設定された保留金額に相当する紙幣と出金処理において払い出されるべき金額から保留金額を差し引いて得られる金額である不足金額に相当する紙幣とが収納部１０３から払出部１０２に搬送されるように、紙幣処理装置１０の動作を制御する。
【０１１７】
例えば、保留金額が「千円」に設定されている第１集積部２０１に千円紙幣Ｂ１が保留されていない状態で「三千円」を払い出すための出金処理が行われる場合、第１集積部２０１に設定された保留金額に相当する１枚の千円紙幣Ｂ１と、「三千円」から「千円」を差し引いて得られる「二千円」に相当する２枚の千円紙幣Ｂ１とが第１集積部２０１に搬送されて払い出される。
【０１１８】
〈回収動作〉
制御部１０９は、回収処理において回収動作を行う。この例では、制御部１０９は、全回収処理および残置回収処理のうち少なくとも一方が行われるように紙幣処理装置１０の動作を制御する。全回収処理では、収納部１０３に収納されている全ての紙幣と払出部１０２に保留されている全ての紙幣とが回収される。残置回収処理（例えば釣銭準備用の紙幣を紙幣処理装置１０内に残してそれ以外の紙幣を回収する処理）では、収納部１０３に収納されている紙幣の少なくとも一部が回収されるが、払出部１０２に保留されている紙幣は回収されない。なお、この例では、払出部１０２は、払出部１０２に保留されている紙幣を搬送部１０６に繰り出すことが可能となっている。例えば、第１集積部２０１に保留されている紙幣が第１可動機構３０１により搬送ベルト４０１に押し付けられて搬送ベルト４０１が第２回転方向（図３における反時計回り方向）に回転駆動することで、第１集積部２０１に保留されている紙幣が搬送部１０６に繰り出される。
【０１１９】
《第１回収動作》
制御部１０９は、全回収処理において第１回収動作を行う。第１回収動作では、制御部１０９は、払出部１０２および収納部１０３から繰り出された紙幣が回収部１０５に搬送されるように、紙幣処理装置１０の動作を制御する。
【０１２０】
具体的には、第１回収動作では、払出部１０２の第１集積部２０１（または第２集積部２０２）に保留されている紙幣が払出部１０２から搬送部１０６に繰り出され、搬送部１０６により回収部１０５に搬送されて集積される。次に、払出部１０２の第２集積部２０２（または第１集積部２０１）に保留されている紙幣が払出部１０２から搬送部１０６に繰り出され、搬送部１０６により回収部１０５に搬送されて集積される。また、それぞれの収納部１０３に収納されている全ての紙幣が収納部１０３から搬送部１０６に繰り出され、搬送部１０６により回収部１０５に搬送されて集積される。払出部１０２の第１集積部２０１および第２集積部２０２に保留されている紙幣と収納部１０３に収納されている紙幣とが回収部１０５に搬送されて集積されると、筐体１００から回収部１０５が取り外される。このようにして、払出部１０２の第１集積部２０１および第２集積部２０２に保留されている紙幣と収納部１０３に収納されている紙幣とが回収される。
【０１２１】
なお、払出部１０２が保留されている紙幣を搬送部１０６に繰り出すことができない場合、制御部１０９は、第１回収動作において、払出部１０２に保留されている紙幣が払出部１０２から払い出され、且つ、収納部１０３から繰り出された紙幣が回収部１０５に搬送されるように、紙幣処理装置１０の動作を制御してもよい。このように、払出部１０２に保留されている紙幣を払出部１０２から払い出すことで、払出部１０２に保留されている紙幣を回収することができる。なお、払出部１０２から払い出された紙幣を係員が受入部１０１に投入し、その投入された紙幣が回収部１０５に搬送されて集積されるように制御部１０９が紙幣処理装置１０を制御するようになっていてもよい。
【０１２２】
《第２回収動作》
制御部１０９は、残置回収処理において第２回収動作を行う。第２回収動作では、制御部１０９は、それぞれの収納部１０３から繰り出された紙幣が回収部１０５に搬送されるように、紙幣処理装置１０の動作を制御する。
【０１２３】
具体的には、第２回収動作では、制御部１０９は、それぞれの収納部１０３に収納されている紙幣のうち回収対象となる紙幣が収納部１０３から搬送部１０６に繰り出され、搬送部１０６により回収部１０５に搬送されて集積される。回収対象となる紙幣が回収部１０５に搬送されて集積されると、筐体１００から回収部１０５が取り外される。このようにして、収納部１０３に収納されている紙幣が回収される。
【０１２４】
なお、制御部１０９は、例えば、店舗の締め作業時において、払出部１０２に保留されている紙幣が払出部１０２から繰り出されて収納部１０３に搬送されるように紙幣処理装置１０の動作を制御し、店舗の翌営業日の立ち上げ作業時において、収納部１０３から繰り出された紙幣が払出部１０２に搬送されて保留されるように紙幣処理装置１０の動作を制御してもよい。このようにすることで、閉店時間中における紙幣処理装置１０のセキュリティ性（安全性）を向上させることができる。
【０１２５】
〔貨幣処理システムの動作〕
次に、貨幣処理システム１の動作について説明する。以下では、商品代金の入力から釣銭の払い出しまでの動作を説明する。
【０１２６】
まず、管理装置１２は、顧客から預けられた金額（預かり金額）から顧客により支払われるべき金額（支払金額）を差し引いて得られる金額（釣銭金額）を示す釣銭金額情報を送信する。具体的には、管理装置１２に接続された商品コード読取機（図示を省略）は、顧客が購入しようとする商品に付された商品コードを読み取る。これにより、顧客が購入しようとする商品の代金が取得される。そして、管理装置１２では、制御部１２４は、顧客が購入しようとする商品の代金の合計に基づいて支払金額を算出する。また、預かり金額を入力するための操作が操作部１２１に与えられ、制御部１２４は、操作部１２１に与えられた操作に基づいて預かり金額を取得する。そして、制御部１２４は、預かり金額から支払金額を差し引いて釣銭金額を算出し、釣銭金額を示す釣銭金額情報を送信する。
【０１２７】
次に、紙幣処理装置１０は、管理装置１２から送信された釣銭金額情報に基づいて出金処理を行う。紙幣処理装置１０では、制御部１０９は、釣銭金額情報に示された釣銭金額に応じて第１出金動作および第２出金動作を選択的に行う。これにより、釣銭となる紙幣が紙幣処理装置１０から払い出される。具体的には、釣銭金額情報に示された釣銭金額から千円未満を切り捨てた金額に相当する紙幣が紙幣処理装置１０から払い出される。例えば、釣銭金額から千円未満を切り捨てた金額が「千円」である場合には、第１出金動作が行われ、第１集積部２０１に保留されている千円紙幣が繰り出される。
【０１２８】
また、硬貨処理装置１１は、管理装置１２から送信された釣銭金額情報に基づいて硬貨出金処理を行う。これにより、釣銭となる硬貨が硬貨処理装置１１から払い出される。具体的には、釣銭金額情報に示された釣銭金額のうち千円未満の金額に相当する硬貨が硬貨処理装置１１から払い出される。
【０１２９】
〔実施形態１による効果〕
以上のように、実施形態１の紙幣処理装置１０では、第１出金動作（この例では第１払出動作および第３払出動作）を行うことにより、払い出されるべき紙幣が出金処理において収納部１０３から払出部１０２に搬送された後に払出部１０２から払い出される場合よりも、出金処理に要する時間を短縮することができる。また、第２出金動作（この例では第２払出動作および第４払出動作）を行うことにより、払い出されるべき紙幣の全部が出金処理において収納部１０３から払出部１０２に搬送された後に払出部１０２から払い出される場合よりも、出金処理に要する時間を短縮することができる。
【０１３０】
また、実施形態１の紙幣処理装置１０では、複数の集積部２００にそれぞれ異なる保留金額に相当する紙幣が保留されているので、複数の集積部２００に同一の保留金額に相当する紙幣が保留されている場合よりも、出金処理において払い出されるべき金額を第１出金動作によって払い出すことができる確率を高くすることができる。これにより、第２出金動作よりも紙幣の払い出しに要する時間が短い第１出金動作が行われる確率を高くすることができるので、第１出金動作による時間短縮を容易に行うことができる。また、第２出金動作において集積部２００に搬送される紙幣の金額（搬送金額）と集積部２００に保留されている紙幣の金額（保留金額）との組合せの数を多くすることができる。これにより、第２出金動作において収納部１０３から集積部２００に搬送される紙幣の枚数（すなわち紙幣の搬送回数）が少なくなるように複数の集積部２００の中から第２出金動作の対象となる集積部２００を選択することができるので、第２出金動作による時間短縮を効果的に行うことができる。
【０１３１】
また、実施形態１の紙幣処理装置１０では、複数の集積部２００のうちいずれか１つの集積部２００に最小額の紙幣が保留される。また、第２出金動作において最小額の紙幣が集積部２００（紙幣の払い出しを行う集積部２００）に搬送される。これにより、紙幣処理装置１０において取り扱われる紙幣の最小額を単位として、出金処理において紙幣処理装置１０から払い出される金額を調節することができる。
【０１３２】
また、実施形態１の紙幣処理装置１０では、払出部１０２に複数の可動機構３００と搬送機構４００とを設けることにより、複数の集積部２００のうちいずれか１つの集積部２００に集積された紙幣を払い出すことができる。
【０１３３】
また、実施形態１の紙幣処理装置１０では、第１集積部２０１と第２集積部２０２との間に搬送ベルト４０１が設けられているので、第１可動機構３０１と第２可動機構３０２が搬送ベルト４０１を共用することができる。これにより、第１可動機構３０１により利用される搬送ベルトと第２可動機構３０２により利用される搬送ベルトとが別々に設けられている場合よりも、払出部１０２の部品点数を削減することができる。
【０１３４】
また、実施形態１の紙幣処理装置１０では、保留金額に相当する紙幣が払出部１０２に保留されていない場合に補充動作を行うことにより、保留金額に相当する紙幣を払出部１０２に保留させることができる。これにより、次の出金処理の準備をすることができる。
【０１３５】
また、実施形態１の紙幣処理装置１０では、記憶部１０８に記憶されている紙幣在高情報に、払出部１０２に保留されている紙幣の在高に関する情報が含まれている。これにより、払出部１０２に保留されている紙幣の在高を紙幣処理装置１０における紙幣の在高の一部として管理することができる。
【０１３６】
また、実施形態１の紙幣処理装置１０では、回収処理を行うことにより、紙幣処理装置１０から紙幣を回収することができる。具体的には、全回収処理を行うことにより、収納部１０３に収納されている紙幣と払出部１０２に保留されている紙幣の両方を回収することができる。また、残置回収処理を行うことにより、払出部１０２に紙幣を保留させた状態で、収納部１０３に収納されている紙幣を回収することができる。
【０１３７】
また、実施形態１の貨幣処理システム１では、預かり金額（顧客から預けられた金額）から支払金額を差し引いて得られる釣銭金額に基づいて紙幣処理装置１０における出金処理（第１出金動作または第２出金動作）が行われるので、紙幣処理装置１０および硬貨処理装置１１に実際に受け入れられた貨幣の合計金額から支払金額を差し引いて得られる釣銭金額に基づいて紙幣処理装置１０における出金処理が行われる場合よりも、紙幣処理装置１０における出金処理を素早く開始することができる。
【０１３８】
（実施形態１の変形例）
なお、実施形態１による貨幣処理システム１の動作（商品代金の入力から釣銭の払い出しまでの動作）は、次のようになっていてもよい。以下、実施形態１の変形例による貨幣処理システム１の動作について説明する。
【０１３９】
まず、管理装置１２は、顧客により支払われるべき貨幣の金額（支払金額）を示す支払金額情報を送信する。具体的には、管理装置１２に接続された商品コード読取機（図示を省略）は、顧客が購入しようとする商品に付された商品コードを読み取る。これにより、顧客が購入しようとする商品の代金が取得される。そして、管理装置１２では、制御部１２４は、顧客が購入しようとする商品の代金の合計に基づいて支払金額を算出し、支払金額を示す支払金額情報を送信する。
【０１４０】
次に、顧客から預けられた紙幣が紙幣処理装置１０に与えられ、紙幣処理装置１０において入金処理が行われる。これにより、顧客から預けられた紙幣が紙幣処理装置１０に受け入れられる。また、顧客から預けられた硬貨が硬貨処理装置１１に与えられ、硬貨処理装置１１において硬貨入金処理が行われる。これにより、顧客から預けられた硬貨が硬貨処理装置１１に受け入れられる。
【０１４１】
次に、紙幣処理装置１０では、制御部１０９は、紙幣処理装置１０に受け入れられた紙幣の金額と硬貨処理装置１１に受け入れられた硬貨の金額との合計金額から支払金額情報に示された支払金額を差し引いて釣銭金額を算出する。そして、紙幣処理装置１０は、その釣銭金額に基づいて出金処理を行う。紙幣処理装置１０では、制御部１０９は、その釣銭金額に応じて第１出金動作および第２出金動作を選択的に行う。これにより、釣銭となる紙幣が紙幣処理装置１０から払い出される。
【０１４２】
また、硬貨処理装置１１は、紙幣処理装置１０の制御部１０９により算出された釣銭金額に基づいて硬貨出金処理を行う。これにより、釣銭となる硬貨が硬貨処理装置１１から払い出される。
【０１４３】
〔実施形態１の変形例による効果〕
以上のように、紙幣処理装置１０に受け入れられた紙幣の金額と硬貨処理装置１１に受け入れられた硬貨の金額との合計金額（すなわち実際に受け入れられた金額）から支払金額を差し引いて得られる釣銭金額に基づいて紙幣処理装置１０における出金処理（第１出金動作または第２出金動作）が行われるので、釣銭が誤って払い出されることを防止することができる。
【０１４４】
（実施形態２）
実施形態２による貨幣処理システム１は、紙幣処理装置１０の構成が実施形態１による貨幣処理システム１と異なっている。実施形態２による貨幣処理システム１のその他の構成は、実施形態１による貨幣処理システム１の構成と同様となっている。
【０１４５】
〔紙幣処理装置〕
図１１は、実施形態２の紙幣処理装置１０の構成を例示している。実施形態２の紙幣処理装置１０は、図２に示した搬送部１０６と識別部１０７とに代えて、搬送部５００と第１識別部５０１と第２識別部５０２とを備えている。また、実施形態２の紙幣処理装置１０は、受入部１０１と払出部１０２と収納部１０３とリジェクト部１０４と回収部１０５の配置が実施形態１の紙幣処理装置１０と異なっている。実施形態２の紙幣処理装置１０のその他の構成は、実施形態１の紙幣処理装置１０の構成と同様となっている。
【０１４６】
〈配置〉
受入部１０１と払出部１０２とリジェクト部１０４と回収部１０５は、筐体の前面部に設けられ、右から左へ向けてリジェクト部１０４と受入部１０１と回収部１０５と払出部１０２が順に並んでいる。複数の収納部１０３は、筐体１００の後面部に設けられ、前後方向に並んでいる。すなわち、複数の収納部１０３の配列方向（以下「第１配列方向」と記載）は、受入部１０１と払出部１０２とリジェクト部１０４と回収部１０５の配列方向（以下「第２配列方向」と記載）と直交する方向となっている。また、複数の収納部１０３は、それぞれの紙幣の出入口が第２配列方向に沿う方向（この例では左方）を向いている。
【０１４７】
〈搬送部〉
搬送部５００は、筐体１００の前後方向における中央部に配置され、環状搬送路５００ａと、複数の接続搬送路５００ｂと、基幹搬送路５００ｃと、複数の分岐搬送路５００ｄとを有している。
【０１４８】
環状搬送路５００ａは、左右方向に延びる楕円形状に形成されている。複数（この例では４つ）の接続搬送路５００ｂは、環状搬送路５００ａと紙幣処理装置１０の各部（この例では受入部１０１と払出部１０２とリジェクト部１０４と回収部１０５）とをそれぞれ接続している。基幹搬送路５００ｃは、環状搬送路５００ａに接続されている。複数（この例では３つ）の分岐搬送路５００ｄは、基幹搬送路５００ｃから延びて複数（この例では３つ）の収納部１０３にそれぞれ接続されている。
【０１４９】
また、環状搬送路５００ａにおける接続点Ｐから紙幣の搬送方向（図１１では反時計回り方向）に進んで接続点Ｑに至る経路の長さは、紙幣の搬送方向における長さ（この例では紙幣の長手方向における長さ）以上の長さに設定されている。なお、接続点Ｐは、環状搬送路５００ａと受入部１０１に接続された接続搬送路５００ｂとの接続点である。接続点Ｑは、環状搬送路５００ａと基幹搬送路５００ｃとの接続点である。
【０１５０】
〈第１識別部〉
第１識別部５０１は、紙幣を識別する。この例では、第１識別部５０１は、環状搬送路５００ａの接続点Ｐに設けられ、環状搬送路１０６ａにおいて搬送される紙幣に対して識別処理を行う。なお、第１識別部５０１の構成は、図２に示した識別部１０７の構成と同様となっている。第１識別部５０１による紙幣の識別結果は、制御部１０９に送信される。
【０１５１】
〈第２識別部〉
第２識別部５０２は、紙幣を識別する。この例では、第２識別部５０２は、基幹搬送路５００ｃに設けられて接続点Ｑと第１番目の分岐搬送路５００ｄとの間に配置され、基幹搬送路５００ｃにおいて搬送される紙幣に対して識別処理を行う。なお、第２識別部５０２の構成は、図２に示した識別部１０７の構成と同様となっている。第２識別部５０２による紙幣の識別結果は、制御部１０９に送信される。
【０１５２】
〔制御部の動作〕
実施形態２の制御部１０９の動作は、実施形態１の制御部１０９の動作と同様となっている。なお、実施形態２では、入金動作と補充動作の変形例とにおいて第１識別部５０１による紙幣の識別が行われ、その他の動作（出金動作と補充動作と連続出金動作と回収動作）において第２識別部５０２による紙幣の識別が行われる。
【０１５３】
〈入金動作〉
実施形態２における入金動作では、制御部１０９は、受入部１０１から繰り出された紙幣が第１識別部５０１において識別されて第１識別部５０１による識別結果に応じて収納部１０３に搬送されるように、紙幣処理装置１０の動作を制御する。
【０１５４】
具体的には、実施形態２における入金動作では、受入部１０１に受け入れられた紙幣が受入部１０１から搬送部５００に繰り出され、第１識別部５０１に搬送される。紙幣の搬送方向における前縁部が第１識別部５０１に到達すると、第１識別部５０１による紙幣の識別が開始され、紙幣の搬送方向における後縁部が第１識別部５０１を通過すると、第１識別部５０１による紙幣の識別が完了する。第１識別部５０１において正常であると識別された紙幣は、環状搬送路５００ａの接続点Ｑから基幹搬送路５００ｃと分岐搬送路５００ｄとを通過して収納部１０３（第１識別部５０１において識別された紙幣の金種と同一の金種が割り当てられた収納部１０３）に搬送されて収納される。一方、第１識別部５０１においてリジェクト対象であると識別された紙幣（入金リジェクト紙幣）は、搬送部５００により受入部１０１に搬送される。
【０１５５】
〔実施形態２による効果〕
実施形態２による貨幣処理システム１および紙幣処理装置１０では、実施形態１による貨幣処理システム１および紙幣処理装置１０と同様の効果を得ることができる。例えば、第１出金動作および第２出金動作を選択的に行うことにより、出金処理に要する時間を短縮することができる。
【０１５６】
また、実施形態２の紙幣処理装置１０では、環状搬送路５００ａの接続点Ｐに第１識別部５０１を配置し、環状搬送路５００ａの接続点Ｑから延びる基幹搬送路５００ｃと複数の収納部１０３とを複数の分岐搬送路５００ｄでそれぞれ接続し、環状搬送路５００ａにおける接続点Ｐから紙幣の搬送方向に進んで接続点Ｑに至る経路の長さを紙幣の搬送方向における長さ以上の長さに設定することにより、入金処理において第１識別部５０１による識別が完了した紙幣を、環状搬送路５００ａに周回させることなく、環状搬送路５００ａの接続点Ｑから複数の収納部１０３のいずれか１つへ向けて搬送することができる。これにより、入金処理に要する時間を短縮することができる。
【０１５７】
なお、実施形態２の紙幣処理装置１０では、環状搬送路５００ａの接続点Ｐから接続点Ｑまでの経路の長さを紙幣の搬送方向における長さと同一の長さに設定することが好ましい。このように設定することにより、入金処理において、第１識別部５０１による識別が完了した紙幣は、その搬送方向における前縁部が接続点Ｑに位置している状態となる。すなわち、紙幣の搬送方向における後縁部が第１識別部５０１を通過して第１識別部５０１による紙幣の識別が完了するときに、紙幣の搬送方向における前縁部が接続点Ｑに位置している。なお、接続点Ｑは、紙幣が振り分けられる点である。したがって、第１識別部５０１による識別が完了してから紙幣が振り分けられるまでの距離を最短にすることができるので、入金処理に要する時間を短縮することができる。
【０１５８】
また、実施形態２の紙幣処理装置１０では、環状搬送路５００ａを楕円形状に形成することにより、環状搬送路５００ａが真円状に形成されている場合よりも、環状搬送路５００ａのターン部の曲率を小さくすることができる。これにより、環状搬送路５００ａの前後方向のサイズを小さくすることができるので、紙幣処理装置１０（具体的には筐体１００）の前後方向のサイズを小さくすることができる。
【０１５９】
また、実施形態２の紙幣処理装置１０では、第１配列方向（複数の収納部１０３の配列方向）が第２配列方向（受入部１０１と払出部１０２とリジェクト部１０４と回収部１０５の配列方向）と直交する方向となり、且つ、複数の収納部１０３の各々の紙幣の出入口が第２配列方向に沿う方向を向くように、複数の収納部１０３を配置することにより、複数の収納部１０３の配列方向に沿う方向（この例では前後方向）に、環状搬送路５００ａから基幹搬送路５００ｃを延ばすことができる。これにより、基幹搬送路５００ｃを延ばすために、複数の収納部１０３と環状搬送路５００ａとの前後方向における間隔を大きくしなくてもよいので、紙幣処理装置１０（具体的には筐体１００）の前後方向のサイズを小さくすることができる。
【０１６０】
なお、実施形態２の紙幣処理装置１０の入金処理において、入金リジェクト紙幣（第１識別部５０１によりリジェクト対象であると識別された紙幣）が払出部１０２に払い出されるようになっていてもよい。この場合、払出部１０２に集積部２００とは異なる別の集積部（紙幣が保留されていない集積部、入金リジェクト紙幣の払い出しを行う集積部）が設けられていることが好ましい。
【０１６１】
（その他の実施形態）
なお、以上の説明では、第２出金動作において、紙幣処理装置１０において取り扱われる最小額の紙幣が収納部１０３から繰り出されて複数の集積部２００のうちいずれか１つの集積部２００に搬送される場合を例に挙げたが、第２出金動作において収納部１０３から繰り出されて集積部２００に搬送される紙幣は、最小額の紙幣ではない他の額の紙幣であってもよい。例えば、第１集積部２０１が１枚の千円紙幣を保留しており、且つ、出金処理において払い出されるべき金額が「七千円」である場合に、１枚の千円紙幣と１枚の五千円紙幣とが第１集積部２０１に搬送されるようになっていてもよい。このようにすることで、収納部１０３に収納されている最小額の紙幣が不足している場合（例えば収納部１０３に千円紙幣が１枚しか収納されていない場合）であっても、出金処理において払い出されるべき金額に相当する紙幣を払い出すことができる。
【０１６２】
また、以上の説明では、保留金額に相当する紙幣が１枚の紙幣（その額が保留金額と同額となる１枚の紙幣）である場合を例に挙げたが、保留金額に相当する紙幣は、それぞれの額の合計が保留金額と同額となる複数枚の紙幣であってもよい。例えば、紙幣処理装置１０において五千円紙幣が不足している場合や、紙幣処理装置１０において五千円紙幣が取り扱われない場合（例えば千円紙幣のみが取り扱われる場合）に、保留金額が「五千円」に設定されている第２集積部２０２に、５枚の千円紙幣が保留されるようになっていてもよい。
【０１６３】
また、制御部１０９は、紙幣処理装置１０において五千円紙幣が不足している場合に、五千円紙幣が不足していることを管理装置１２や外部機器（図示を省略）に通知するように構成されていてもよい。そして、管理装置１２や外部機器は、紙幣処理装置１０に対する五千円紙幣の補充を促すための通知を行うように構成されていてもよい。
【０１６４】
また、以上の説明では、紙幣処理装置１０の入金処理において入金リジェクト紙幣（識別部１０７によりリジェクト対象であると識別された紙幣）が受入部１０１に搬送される場合を例に挙げたが、入金リジェクト紙幣は、紙幣処理装置１０に設けられた返却部（図示を省略）に搬送されるようになっていてもよい。
【０１６５】
また、以上の説明では、払出部１０２において複数の集積部２００（第１集積部２０１と第２集積部２０２）が左右方向に並設されている場合を例に挙げたが、これに限らず、複数の集積部２００は、払出部１０２においてその他の方向（例えば上下方向）に並設されていてもよい。
【０１６６】
また、以上の説明では、第１集積部２０１と第２集積部２０２との間に設けられた搬送ベルト４０１（搬送機構４００）が第１可動機構３０１と第２可動機構３０２とに共用される場合を例に挙げたが、第１可動機構３０１により利用される搬送ベルト（搬送機構）と第２可動機構３０２により利用される搬送ベルト（搬送機構）とが別々に設けられていてもよい。
【０１６７】
また、以上の説明では、払出部１０２が２つの集積部２００（第１集積部２０１と第２集積部２０２）を有している場合を例に挙げたが、払出部１０２は、３つ以上の集積部２００を有するものであってよいし、１つの集積部２００を有するものであってもよい。また、紙幣処理装置１０が３つの収納部１０３を備えている場合を例に挙げたが、紙幣処理装置１０は、２つ以下の収納部１０３を備えるものであってもよいし、４つ以上の収納部１０３を備えるものであってもよい。
【０１６８】
また、硬貨処理装置１１は、紙幣処理装置１０から釣銭として払い出すべき紙幣が不足している場合に、釣銭として払い出すべき硬貨に加えて、その不足している紙幣に相当する硬貨を払い出すように構成されていてもよい。例えば、紙幣処理装置１０から釣銭として払い出すべき１枚の千円紙幣を払い出すことができない場合に、釣銭として払い出すべき硬貨に加えて１０枚の百円硬貨が硬貨処理装置１１から払い出されてもよい。また、管理装置１２は、操作者（係員や顧客など）による承認操作が操作部１２１に与えられた場合に、硬貨処理装置１１に代替出金動作（釣銭として払い出すべき硬貨に加えて不足している紙幣に相当する硬貨を払い出す動作）をさせるように構成されていてもよい。
【０１６９】
また、以上の説明において、複数の収納部１０３は、それぞれが外部からアクセス可能に構成されていてもよい。そして、複数の収納部１０３のいずれかに係員がアクセスして紙幣を装填するようになっていてもよい。すなわち、紙幣処理装置１０において、係員による装填処理が行われるようになっていてもよい。なお、紙幣処理装置１０において、入金処理の代わりに、係員による装填処理が行われるようになっていてもよい。例えば、紙幣処理装置１０は、出金専用機であってもよい。
【０１７０】
また、以上の説明では、紙幣処理装置１０が店舗のレジカウンタなどに設けられている場合を例に挙げたが、これに限らず、紙幣処理装置１０は、例えば、自動販売機などに設けられていてもよい。
【０１７１】
また、以上の実施形態および変形例を適宜組み合わせて実施してもよい。以上の実施形態および変形例は、本質的に好ましい例示であって、この発明、その適用物、あるいはその用途の範囲を制限することを意図するものではない。
【産業上の利用可能性】
【０１７２】
以上説明したように、ここに開示する技術は、紙幣処理装置および貨幣処理システムとして有用である。
【符号の説明】
【０１７３】
１          貨幣処理システム
１０        紙幣処理装置
１１        硬貨処理装置
１２        管理装置
１００      筐体
１０１      受入部
１０２      払出部
１０３      収納部
１０４      リジェクト部
１０５      回収部
１０６      搬送部
１０７      識別部
１０８      記憶部
１０９      制御部
１２１      操作部
１２２      表示部
１２３      記憶部
１２４      制御部
２０        筐体
３０        払出機構
３００      可動機構
３０１      第１可動機構
３０２      第２可動機構
４００      搬送機構
４０１      搬送ベルト
４０        切換機構
４１        分岐爪
５００      搬送部
５０１      第１識別部
５０２      第２識別部
【図１】
2020042493.tif 000003
【図２】
2020042493.tif 000004
【図３】
2020042493.tif 000005
【図４】
2020042493.tif 000006
【図５】
2020042493.tif 000007
【図６】
2020042493.tif 000008
【図７】
2020042493.tif 000009
【図８】
2020042493.tif 000010
【図９】
2020042493.tif 000011
【図１０】
2020042493.tif 000012
【図１１】
2020042493.tif 000013